(57)【特許請求の範囲】
【請求項１】
筐体内に上面開口の外槽内に回転可能に上面開口の内槽が設けられ、前記内槽の内側底部に回転可能にパルセータを備えた洗濯水槽と、前記筐体の上部には、風呂水汲み上げ用ポンプ、水道水が供給される水路を開閉制御する給水バルブ、及び洗剤容器を備えた注水口ユニットを備え、前記水道水が前記給水バルブを通り前記注水口ユニットを経て前記洗濯水槽へ供給される給水経路と、前記ポンプの稼動によって汲み上げられた風呂水が前記注水口ユニットを経て前記洗濯水槽へ供給される給水経路とを備えた洗濯機において、
前記ポンプから前記注水口ユニットへ供給される給水路中の風呂水にオゾン発生器で発生するオゾンを混入するベンチュリー管を設け、
前記ベンチュリー管から流出し前記注水口ユニットを経て前記洗濯水槽へ供給する風呂水中の前記オゾンを包含した無数の気泡の破壊を生じさせ除菌された風呂水とするための混合手段として、前記注水口ユニットの上部に形成した入り口から流入した風呂水が一旦溜まった後オーバーフローするダム部を前記注水口ユニット内に形成し、前記オーバーフローした風呂水が給水路から前記洗濯水槽へ供給される
ことを特徴とする洗濯機。
【請求項２】
筐体内に上面開口の外槽内に回転可能に上面開口の内槽が設けられ、前記内槽の内側底部に回転可能にパルセータを備えた洗濯水槽と、前記筐体の上部には、風呂水汲み上げ用ポンプ、水道水が供給される水路を開閉制御する給水バルブ、及び洗剤容器を備えた注水口ユニットを備え、前記水道水が前記給水バルブを通り前記注水口ユニットを経て前記洗濯水槽へ供給される給水経路と、前記ポンプの稼動によって汲み上げられた風呂水が前記注水口ユニットを経て前記洗濯水槽へ供給される給水経路とを備えた洗濯機において、
前記ポンプから前記注水口ユニットへ供給される給水路中の風呂水にオゾン発生器で発生するオゾンを混入するベンチュリー管を設け、
前記ベンチュリー管から流出し前記注水口ユニットを経て前記洗濯水槽へ供給する風呂水中の前記オゾンを包含した無数の気泡の破壊を生じさせ除菌された風呂水とするための混合手段として、前記注水口ユニット内に、前記注水口ユニットの上部に形成した入り口から流入した風呂水が流れる屈曲通路及び前記屈曲通路を流下した風呂水が一旦溜まった後オーバーフローするダム部を形成し、前記オーバーフローした風呂水が給水路から前記洗濯水槽へ供給される
ことを特徴とする洗濯機。
【請求項３】
前記注水口ユニットは、前記ポンプから供給される風呂水が前記ダム部を通過するが、前記給水バルブから供給される水道水は前記ダム部を通過しない構成である
ことを特徴とする請求項１または請求項２に記載の洗濯機。
【請求項４】
前記混合手段は、前記ベンチュリー管から前記注水口ユニットに至る給水路が屈曲通路をなし、この屈曲通路の屈曲部に、流れる風呂水が一旦衝突して乱流となり前記オゾンを包含した無数の気泡の破壊を生じさせる障壁を形成した構成を含む
ことを特徴とする請求項１乃至請求項３のいずれかに記載の洗濯機。
【発明の詳細な説明】
【技術分野】
【０００１】
本発明は、風呂水を汲み上げ使用する洗濯機に関する。
【背景技術】
【０００２】
従来、風呂水を風呂水汲み上げ用ポンプで汲み上げて洗濯水槽へ供給し、洗濯水槽内で衣類の洗濯、すすぎに使用する洗濯機の一つとして、筐体内に上面開口の外槽と、この外槽内に回転可能に上面開口の内槽と、この内槽の内側底部に回転可能にパルセータを設け、洗濯工程では洗濯水槽へ供給した風呂水を用いてパルセータの正逆交互回転によって衣類を洗濯し、脱水工程では内槽とパルセータを同時に高速回転させて衣類の脱水を行ない、すすぎ工程では洗濯水槽へ供給した風呂水を用いてパルセータの正逆交互回転にて衣類のすすぎを行なう。この場合、洗濯水槽内の水の除菌を行なうために、洗濯水槽内の水に浸る電解装置が設けられ、洗濯工程と最後のすすぎ工程以前のすすぎ工程にて、この電解装置の動作にて次亜塩素酸を発生させて、洗濯水槽内の水の除菌を行なうようにしている（特許文献１参照）。
【０００３】
また、風呂水を風呂水汲み上げ用ポンプで汲み上げて洗濯水槽へ供給し、洗濯水槽内で衣類の洗濯、すすぎに使用する洗濯機の一つとして、筐体内に斜め設置された前面開口の外槽と、この外槽内に回転可能に前面開口の内槽を設け、洗濯工程では内槽を正逆交互回転させると共に、洗濯水槽に溜まった風呂水を洗濯水槽外に設けた循環水路を通るように循環ポンプの運転により循環させつつ衣類を洗濯し、脱水工程では内槽の高速回転によって衣類の脱水を行ない、すすぎ工程では洗濯水槽に溜まった風呂水を用いて内槽の正逆交互回転にて衣類のすすぎを行なう。この場合、洗濯水槽内の水の除菌を行なうために、洗濯水槽内に溜まった水が循環する循環水路の途中にベンチュリー管を設け、ここでこの循環水にオゾン発生器で発生するオゾンを混入させる方式がある（特許文献２参照）。
【先行技術文献】
【特許文献】
【０００４】
【特許文献１】特開２００３−０００９９２号公報
【特許文献２】特開２００９−１５３６９４号公報
【発明の概要】
【発明が解決しようとする課題】
【０００５】
この特許文献１の洗濯機は、洗濯水槽内に溜まった状態の水に、電解装置の動作にて発生する次亜塩素酸を混入させて除菌する。また、特許文献２の洗濯機も、洗濯水槽内に溜まった状態の水をポンプで循環させつつ、この循環水にオゾン発生器で発生するオゾンを混入させて除菌する方式である。このため、特許文献１の洗濯機では、外槽の下部に電解装置が洗濯水槽内の水に浸るように電解装置の収容部を設けるため、この部分の防水構造が必要となり、外槽下部の構造が複雑化する。また、特許文献２の洗濯機では、洗濯水槽内に溜めた水を外槽の外側に設けた循環水路を通して循環ポンプで循環させる構成が必要となり、構造が複雑化すると共に、筐体が大型化する。
【０００６】
本発明は、ポンプの運転によって汲み上げられた風呂水によって衣類のすすぎを行う場合、このような除菌方式に替わる新しい方式を提供するものである。風呂水を洗濯水槽内へ供給した後、洗濯水槽内の水を除菌する場合は、一旦、除菌されていない風呂水が洗濯水槽内の衣類に浸ることとなるが、本発明は、ポンプの運転によって汲み上げられた風呂水によって衣類のすすぎを行う場合、洗濯水槽内の衣類へは除菌された水を供給することによって、衛生的なすすぎを達成すると共に、上記のような問題を解決し、除菌効果の優れた洗濯及びまたはすすぎが行なえる洗濯機を提供するものである。
【０００７】
本発明は、特に、筐体内に上面開口の外槽と、この外槽内に回転可能に上面開口の内槽と、この内槽の内側底部に回転可能にパルセータを設け、筐体上部に風呂水汲み上げ用ポンプや給水ユニットを収容した形態の洗濯機に適用することによって、洗濯機の小型化を図りつつ、洗濯水槽内へ供給する風呂水が除菌された水として供給される洗濯機を提供するものである。
【０００８】
このように、筐体内に上面開口の外槽と、この外槽内に回転可能に上面開口の内槽と、この内槽の内側底部に回転可能にパルセータを設け、筐体上部に風呂水汲み上げ用ポンプを含む給水ユニットを収容した形態の洗濯機においては、風呂水汲み上げ用ポンプから出た風呂水を、風呂水供給路を通って洗濯水槽の上面開口から洗濯水槽内へ供給する場合、この風呂水供給路の途中でオゾンを混入したとき、その部分からこの風呂水供給路の出口までの距離を十分長く取らなければ、この風呂水供給路中の風呂水とオゾンとの接触が不十分となり、この風呂水供給路中の風呂水の除菌が不十分となる。しかし、筐体上部の狭い領域において風呂水供給路の長さを十分に取ることは不可能であるが、本発明は、筐体上部の狭い領域において風呂水供給路の長さを十分に取ることができない場合でも、風呂水とオゾンとの接触が十分に行なわれ、この風呂水供給路中の風呂水の除菌が十分となる通路構成とするものであり、洗濯水槽内へ供給される風呂水は、除菌が終了している風呂水として供給される洗濯機を提供するものである。
【０００９】
このため、風呂水汲み上げ用ポンプを出た風呂水が洗濯水槽内へ送出される風呂水供給路中でオゾンを混入させると共に、この風呂水の十分な除菌が得られた状態、即ち、除菌が終了している風呂水として洗濯水槽内へ供給するために、このオゾン混入部から下流の風呂水供給路に、この下流の風呂水供給路中で除菌が達成される風呂水となるための混合手段を設け、除菌が終了している風呂水として洗濯水槽内へ供給する方式を提供するものである。
【課題を解決するための手段】
【００１０】
第１発明は、
筐体内に上面開口の外槽内に回転可能に上面開口の内槽が設けられ、前記内槽の内側底部に回転可能にパルセータを備えた洗濯水槽と、前記筐体の上部には、風呂水汲み上げ用ポンプ、水道水が供給される水路を開閉制御する給水バルブ、及び洗剤容器を備えた注水口ユニットを備え、前記水道水が前記給水バルブを通り前記注水口ユニットを経て前記洗濯水槽へ供給される給水経路と、前記ポンプの稼動によって汲み上げられた風呂水が前記注水口ユニットを経て前記洗濯水槽へ供給される給水経路とを備えた洗濯機において、
前記ポンプから前記注水口ユニットへ供給される給水路中の風呂水にオゾン発生器で発生するオゾンを混入するベンチュリー管を設け、
前記ベンチュリー管から流出し前記注水口ユニットを経て前記洗濯水槽へ供給する風呂水中の前記オゾンを包含した無数の気泡の破壊を生じさせ除菌された風呂水とするための混合手段として、前記注水口ユニットの上部に形成した入り口から流入した風呂水が一旦溜まった後オーバーフローするダム部を前記注水口ユニット内に形成し、前記オーバーフローした風呂水が給水路から前記洗濯水槽へ供給される
ことを特徴とする。
【００１１】
第２発明は、
筐体内に上面開口の外槽内に回転可能に上面開口の内槽が設けられ、前記内槽の内側底部に回転可能にパルセータを備えた洗濯水槽と、前記筐体の上部には、風呂水汲み上げ用ポンプ、水道水が供給される水路を開閉制御する給水バルブ、及び洗剤容器を備えた注水口ユニットを備え、前記水道水が前記給水バルブを通り前記注水口ユニットを経て前記洗濯水槽へ供給される給水経路と、前記ポンプの稼動によって汲み上げられた風呂水が前記注水口ユニットを経て前記洗濯水槽へ供給される給水経路とを備えた洗濯機において、
前記ポンプから前記注水口ユニットへ供給される給水路中の風呂水にオゾン発生器で発生するオゾンを混入するベンチュリー管を設け、
前記ベンチュリー管から流出し前記注水口ユニットを経て前記洗濯水槽へ供給する風呂水中の前記オゾンを包含した無数の気泡の破壊を生じさせ除菌された風呂水とするための混合手段として、前記注水口ユニット内に、前記注水口ユニットの上部に形成した入り口から流入した風呂水が流れる屈曲通路及び前記屈曲通路を流下した風呂水が一旦溜まった後オーバーフローするダム部を形成し、前記オーバーフローした風呂水が給水路から前記洗濯水槽へ供給される
ことを特徴とする。
【００１２】
第３発明は、
第１発明または第２発明において、前記注水口ユニットは、前記ポンプから供給される風呂水が前記ダム部を通過するが、前記給水バルブから供給される水道水は前記ダム部を通過しない構成である
ことを特徴とする。
【００１３】
第４発明は、
第１発明乃至第３発明のいずれかにおいて、
前記混合手段は、前記ベンチュリー管から前記注水口ユニットに至る給水路が屈曲通路をなし、この屈曲通路の屈曲部に、流れる風呂水が一旦衝突して乱流となり前記オゾンを包含した無数の気泡の破壊を生じさせる障壁を形成した構成を含む
ことを特徴とする。
【発明の効果】
【００１８】
本発明は、外槽４内に内槽５を収容した筐体の上部に、風呂水汲み上げ用ポンプ、水道水が供給される水路を開閉制御する給水バルブ、及び洗剤容器を備えた注水口ユニットを備え、水道水と風呂水が注水口ユニットを経て洗濯水槽へ供給される洗濯機において、ベンチュリー管から流出した風呂水中のオゾンを包含した無数の気泡の破壊を生じさせ除菌された風呂水とするための混合手段を注水口ユニット内に設けることにより、洗濯機の小型化を達成しつつ洗濯水槽へ十分除菌された風呂水を供給して、すすぎを行なうことができるものとなる。このため、風呂水を洗濯水槽内へ供給した後、洗濯水槽内の水を除菌する場合は、一旦、除菌されていない風呂水が洗濯水槽内の衣類に浸ることとなるが、本発明では、そのようなことがないため、風呂水をすすぎ水に使用する場合も、衛生的なすすぎが達成できることとなる。
【００１９】
また、筐体内に上面開口の外槽と、この外槽内に回転可能に上面開口の内槽と、この内槽の内側底部に回転可能にパルセータを設け、筐体上部に風呂水汲み上げ用ポンプを含む給水ユニットを収容した形態の洗濯機において、風呂水汲み上げ用ポンプから出た風呂水を、風呂水供給路を通って洗濯水槽の上面開口から洗濯水槽内へ供給する場合、この風呂
水供給路の途中でオゾンを混入したとき、その部分からこの風呂水供給路の出口までの距離を十分長く取らなければ、この風呂水供給路中の風呂水の除菌が不十分となるが、筐体上部の狭い領域において風呂水供給路の長さを十分に取ることは不可能である。しかし、本発明は、筐体上部の狭い領域において風呂水供給路の長さを十分に取ることができない場合でも、注水口ユニット内に風呂水とオゾンとの接触が十分に行なわれる混合手段を設けることにより、注水口ユニット内で風呂水の除菌が十分行なえ、風呂水をすすぎ水として供給する洗濯機として、小型化の達成と共に風呂水の除菌が十分なものとなる。
【００２０】
また、本発明によって、オゾン発生装置が洗濯水槽内の水に浸ることがないため、この部分の構造が簡素化されると共に、洗濯水槽内に溜めた水を外槽の外側に設けた循環水路を通して循環ポンプで循環させる構成も不要となるため、構造が複雑化することがない。このため、筐体内に上面開口の外槽内に回転可能に上面開口の内槽を設けた洗濯機として、構造の簡素化と小型化に適したものとなる。
【図面の簡単な説明】
【００２１】
【図１】本発明に係る洗濯機の蓋を開いた状態を示す斜視図である。
【図２】本発明に係る洗濯機の内部構成の概略を説明する縦断側面図である。
【図３】本発明に係る送風給水ユニットの機能を説明するための洗濯機の水路及び風路を中心とする構成を図解的に示す図である。
【図４】本発明に係る送風給水ユニットを組み込んだ洗濯機の内部構成を説明する図である。
【図５】本発明に係る洗濯機の給水ユニット内の注水口ユニットへ流入する風呂水の給水路の部分を示す横断平面図である。
【図６】図５の風呂水の給水路に風呂水が衝突する障壁を設けた構成を拡大した断面図である。
【図７】図６の障壁を備えた接続管の斜視図である。
【図８】図７の障壁を備えた接続管の成形方法の説明図である。
【図９】本発明に係る洗濯機の注水口ユニット内の風呂水通路に風呂水が一旦溜まってオーバーフローするダム部を設けた構成を示す縦断側面図である。
【図１０】図９の注水口ユニット内の風呂水通路部分を拡大して示す図である。
【発明を実施するための形態】
【００２２】
本発明は、筐体内に設けた外槽内に回転可能に内槽が設けられた洗濯水槽と、前記筐体に風呂水汲み上げ用ポンプを含む給水ユニットが設けられ、前記ポンプの運転によって汲み上げられた風呂水が風呂水供給路を通して前記洗濯水槽に供給される洗濯機において、前記風呂水供給路中の風呂水にオゾンを供給するオゾン混入部を設け、このオゾン混入部から下流の前記風呂水供給路に、前記下流の風呂水供給路中で除菌が達成される風呂水となるための混合手段を設けた構成である。
【００２３】
なお、本発明における「除菌」とは、日本電機工業会の抗菌・除菌性能評価方法において、除菌前の菌数に比べて除菌後の菌数が、１００分の１以下になることを意味する。
【実施例１】
【００２４】
以下、本発明に係る洗濯・すすぎ・脱水・乾燥を行なう洗濯機１に基づき、本発明の実施例を図に基づき説明する。
【００２５】
図１及び図２において、洗濯機１は、筐体２内に洗濯水槽３が上面開口の縦型の回転ドラム５を備えた回転ドラム式の洗濯機である。筐体２内に縦型に配置された洗濯水槽３を備え、洗濯水槽３には、洗濯時に水を溜めるための回転しない上面開口の外槽４と、外槽４内に回転自在に収容された内槽５（以下、ドラム５という）とが含まれている。ドラム５内の底面には、ドラム５内の水と衣類を攪拌する攪拌翼１４（パルセータ１４ともいう）が配置されている。５２は上リング５２Ａと下リング５２Ｂで構成したバランスリングで、回転ドラム５の上面開口を形成している。ドラム５は、その周側面に外槽４に溜めた水が流通する多数の通水孔５Ａが穿設されており、外槽４は回転しないが、攪拌翼１４とドラム５は、外槽４の下方に備えられたモータ６で回転する垂直方向の回転軸７によって垂直軸回りに回転される。この場合、洗濯工程・すすぎ工程・脱水工程・乾燥工程において、攪拌翼１４とドラム５が同時に回転する状態や、攪拌翼１４のみまたはドラム５のみ回転する状態や、攪拌翼１４とドラム５の回転方向が正逆切り替えられる状態などの制御のために、クラッチ機構４０を備えている。
【００２６】
外槽４の上面開口の出入口９は、出入口９の周縁部に気密状態に取り付けたカバー板１１と、このカバー板１１に開閉可能に取り付けた内蓋１２とで密閉される。このため、カバー板１１と内蓋１２によって、ドラム５の上面開口の出入口８も開閉される構成となっている。内蓋１２は、外側領域が不透明材で構成され、その内側領域が透明板１２Ａで構成されていて、閉じた状態でもドラム５内を透視できるようになっている。また、筐体２の上面開口１３は、筐体２の上面部に開閉可能に取り付けた外蓋１０で開閉される。カバー板１１と内蓋１２との当接部分は、内蓋１２の周縁部に取り付けたパッキンで密閉される構成であり、それによって内蓋１２を閉じた状態で、外槽４内は密閉状態となる。外蓋１０を開き、且つ内蓋１２を開いた状態は、図１に示しており、この状態で、ドラム５と外槽４の上面開口の出入口８及び９を通って、ドラム５内への衣類（洗濯物）の出し入れがされる。洗濯水槽３は振動を吸収するサスペンション機構ＳＰによって略均等支持となるように、複数個所で筐体２に吊り下げ支持（実施例では外槽４が４箇所支持）されている。
【００２７】
筐体２の上面前部には、操作・表示部２Ｐが配置されている。操作・表示部２Ｐには、複数の操作キー及び表示器が配列されており、操作キーを操作することで洗濯機１の運転を制御でき、表示器には洗濯機１の運転状況が表示される。
【００２８】
筐体２内の上方後部には、後述する本発明に係る送風給水ユニット１５が収容配置されている。洗濯機１の洗濯工程では、上水道水管に連通接続された後述の給水バルブ２３が開き、上水道水管から供給される水道水が洗濯水槽３の外槽４内に溜められる。その際、水が後述の洗剤容器２５を通過して洗濯水槽３に至るようにすれば、洗剤が解けた水を洗濯水槽３の内槽５と外槽４内に溜めることができる。洗濯工程では、モータ６によりドラム５は回転せず、攪拌翼１４の回転によってドラム５内の衣類が洗濯され、排水バルブ３３を開いて洗濯水槽３の水が、排水管３４から排水された後、モータ６によりドラム５と攪拌翼１４が同時回転して衣類の脱水を行う。この脱水の後、すすぎ運転を行う。すすぎ運転は、再び給水バルブ２３を開いて水道水を洗濯水槽３の外槽４内に溜め、モータ６によりドラム５は回転せず攪拌翼１４の回転によってこの水によって衣類のすすぎを行った後、排水バルブ３３を開いて洗濯水槽３のすすぎ水が排水管３４から排水され、モータ６によりドラム５と攪拌翼１４が同時回転して衣類の脱水を行う。このすすぎ運転は、複数回繰り返した後、洗濯・すすぎ・脱水運転を終える。
【００２９】
このように洗濯・すすぎ・脱水運転を終えた後、乾燥運転（乾燥工程と称することもできる）が行われる。この乾燥運転では、後述のオゾン発生装置１８が作動して洗濯物の乾燥と共に、除菌・消臭を行なう。以下、図３に基づき送風給水ユニット１５による送風と給水の動作を説明する。
【００３０】
外槽４の上面開口の出入口９及びドラム５の上面開口の出入口８よりも上方位置において、筐体２内の上方後部には、送風ユニット１６と、給水ユニット１７と、オゾン発生装置１８（以下、オゾン発生器１８という）とを含む送風給水ユニット１５が収容配置されている。
【００３１】
送風ユニット１６は、後述する乾燥工程において回転駆動される電動機１９Ａと回転翼１９Ｂからなるブロア１９（浄化用空気消滅手段及び送風手段）と、ブロア１９により洗濯水槽３内へ循環される空気を加熱する（換言すれば洗濯水槽３内の空気を加熱する）ためのヒータ２１（加熱手段）を備え、乾燥工程において乾燥風路２２（循環風路）内で空気を循環させる。回転翼１９Ｂ及びヒータ２１が合成樹脂製ケース１６Ｐ内の風路に収容され、合成樹脂製ケース１６Ｐの上面に取り付けた電動機１９Ａにて回転翼１９Ｂが回転する構成である。送風ユニット１６は、ブロア１９の空気吸い込み側に乾燥用フィルタ２０を配置している。乾燥用フィルタ２０は、ブロア１９により乾燥風路２２を循環される空気中に含まれるリント等の異物を捕獲するためのものであり、回転翼１９Ｂの空気吸い込み側に配置されており、合成樹脂製ケース１６Ｐに着脱自在に支持することにより、フィルタ素子２０Ｆの清掃がし易い構成を採用している。実施例では、図７に示すように、乾燥用フィルタ２０は、フィルタ素子２０Ｆを取り付けたフィルタケース２０Ｋで構成され、フィルタケース２０Ｋを合成樹脂製ケース１６Ｐに着脱自在に支持している。ヒータ２１は、小型化のために半導体ヒータ（抵抗温度特性が正特性の半導体）が採用されており、回転翼１９Ｂの空気吐出側に配置されている。
【００３２】
乾燥風路２２は、洗濯水槽３、具体的には外槽４の外側に配置され、外槽４の上方部から洗濯水槽３内の高温多湿の空気を空気吸い込み口４１から吸い出し、その空気をヒータ２１で加熱して外槽４の上方部の空気吐出口４２から洗濯水槽３内へ流入させるように空気を循環させるための風路である。乾燥風路２２には、送風ユニット１６、空気吸い込み口となる接続パイプ４１、及び空気吐出口となる接続パイプ４２が含まれている。図７及び図８に示すように、接続パイプ４１及び接続パイプ４２は、外槽４の上面開口の出入口９周縁部に気密状態に取り付けたカバー板１１を貫通して取り付けられており、送風ユニット１６の空気吸い込み側には、可撓管である蛇腹管４１Ｋを介して接続パイプ４１が接続され、また、送風ユニット１６の空気吐出側には、可撓管である蛇腹管４２Ｋを介して接続パイプ４２が接続されている。これによって、送風ユニット１６の稼動によって、環状空間Ｋの上方から空気吸い込み口用の接続パイプ４１へ環状空間Ｋの空気を吸い込み、空気吐出口用の接続パイプ４２にてドラム５の上面開口上方からドラム５内へ空気を吐出することにより、洗濯水槽３の空気が乾燥風路２２によって循環される仕組みとなる。
【００３３】
給水ユニット１７は、水道水管に接続した管路を手動で開閉する水栓（図示せず）を通して供給される水を下流の水路へ供給するのを制御するための給水バルブ２３と、注水口ユニット２４と、風呂水ポンプ２６と、これらに係る配管を備えている。給水バルブ２３には３つの出口２３Ａ、２３Ｂ、２３Ｃがあり、いずれの出口から水を出すかを切換えることができる。給水バルブ２３の第１出口２３Ａと第２出口２３Ｂは注水口ユニット２４に接続されている。注水口ユニット２４内には、第１出口２３Ａから供給される水道水を洗剤容器２５内に区画された洗剤収容室へと導く水路と、呼び水水路３５へと導く水路とに分ける分岐水路が含まれている。また、給水バルブ２３の第２出口２３Ｂから供給される水道水は、洗剤容器２５内に区画された柔軟剤収容室（ソフナー容器）を通り、給水路２９から洗濯水槽３へと給水する。また、給水バルブ２３の第３出口２３Ｃは、ベンチュリー管３７を経て給水路３２から洗濯水槽３へと給水する。
【００３４】
風呂水供給路２６Ｒ中の風呂水にオゾンを供給するオゾン混入部３０として、給水路２８の風呂水にオゾンを供給するベンチュリー管３０が介在されており、ベンチュリー管３０（気液混合器またはエゼクタともいう）において、給水路２８を流れる水にオゾン発生器１８で発生するオゾンが混入されるように、オゾン発生器１８のオゾン出口は、逆止弁３１Ａを通りエアーチューブ３１を介してベンチュリー管３０の空気流入口３０Ａへ接続されている。流入原理は、オゾン発生器１８が作動中であるときは、ベンチュリー管３０内を流れる水により生じる圧力差（負圧）によって、エアーチューブ３１を介してオゾンを含む空気（浄化用空気）が吸引され、ベンチュリー管３０内を流れる水にオゾンが混入される。
【００３５】
上記のように、給水バルブ２３が制御されて開き、水道水が注水口ユニット２４内の洗剤容器２５を通り、給水路２９から洗濯水槽３（具体的には外槽４と内槽５内）へと供給され、洗濯水槽３に所定量の水が溜められた状態において、洗濯工程ではモータ６により攪拌翼１４が正方向と逆方向に回転（正逆回転という）し、ドラム５内に入れられた衣類などの洗濯物が洗濯される。この際、風呂水ポンプ２６が駆動された場合、オゾン発生器１８が作動すれば、上記のようにベンチュリー管３０によって水にオゾンが混入され、オゾンの強力な酸化、殺菌作用により水が浄化される。このため、洗濯水槽３内の水は、洗濯工程において攪拌翼１４によって攪拌され、オゾンが混入された浄化された水によって洗濯物が洗濯され、除菌・消臭がされる。すすぎ工程でも同様にオゾンが混入された浄化された水によって洗濯物のすすぎを行うことができる。
【００３６】
乾燥工程では、洗濯水槽３内の後面下方から空気が吸い出されて乾燥風路２２を通って上方へ導かれ、乾燥用フィルタ２０で異物が濾過されて、ヒータ２１で温められた温風が洗濯水槽３の上部から洗濯水槽３内へ流入するように循環される。乾燥風路２２内を空気が循環する際に、高温多湿の空気は水と熱交換されることによって冷却除湿される。そのため、乾燥風路２２内には後述のように、給水路３２から除湿用水が供給される。
【００３７】
次に、図３を参照して、洗濯機１の水路及び風路を中心とする全体構成について、より詳細に説明をする。
先ず、図３に基づき、洗濯機１の水路及び風路の構成について説明する。図３は、洗濯機１の水路および風路を中心とする構成を図解的に示す図である。前記水道水管の水栓が開かれた状態で、風呂水ポンプ２６が稼動したときは、給水バルブ２３の第１出口２３Ａが開いて、主として呼び水水路３５を通り逆止弁３５Ａを経て風呂水ポンプ２６へ呼び水が流入すると共に、浴槽の残り湯（風呂水）が風呂水ホース２７を介して汲み上げられて、風呂水ポンプ２６を経由して給水路２８から注水口ユニット２４へ流入し、洗剤容器２５の洗剤収容室を通り、洗剤容器２５の出口２５Ａから出て給水路２９から洗濯水槽３へと流入する。また、風呂水ポンプ２６が稼動しないときは、給水バルブ２３の第１出口２３Ａが開いて注水口ユニット２４へ供給される水は、洗剤容器２５の洗剤収容室を通り、洗剤容器２５の出口２５Ａから出て給水路２９から洗濯水槽３へと流入する。給水バルブ２３の第２出口２３Ｂも注水口ユニット２４に接続されており、第２出口２３Ｂを開いたときに第２出口２３Ｂから供給される水は、洗剤容器２５内に区画された柔軟剤収容室（ソフナー容器）を通って給水路２９から洗濯水槽３へと流れ込むようにされている。
このように、給水路２９によって、洗濯水槽３への給水が行われる。
【００３８】
後述のように、洗濯水槽３から空気吸い込み口用の接続パイプ４１を通って送風ユニット１６へ吸い込まれる高温多湿の空気の除湿を行なうと共にこの空気の温度を低下させるために、この高温多湿の空気と熱交換するために除湿用水を供給する。このため、給水バルブ２３の第３出口２３Ｃは、給水路３２を経由して出口３２Ａから供給される相対的に少量の除湿用水を接続パイプ４１内に供給する構成である。
【００３９】
給水路３２の途中にベンチュリー管３７が介在されていて、ベンチュリー管３７（気液混合器またはエゼクタともいう）において、給水路３２を流れる水にオゾン発生器１８で発生するオゾンが混入されるように、オゾン発生器１８の出口は、エアーチューブ３８を通り逆止弁３８Ａを経てベンチュリー管３７の空気流入口３７Ａへ接続されている。上記ベンチュリー管３０と同様の流入原理によって、エアーチューブ３８を介してオゾンを含む空気（浄化用空気）が吸引され、ベンチュリー管３７内を流れる水にオゾンが混入される。
【００４０】
後述のように、洗濯機１では、衣類の乾燥工程に伴ってエアウォッシュを行なうために、排水管３４に排水トラップ部３９を設けている。この排水トラップ部３９は、排水の流通は確保するが、その排水の一部が溜まることによって、排水管３４を通る空気流通が遮断される構成である。このため、この排水トラップ部３９によって、下水からの臭気の逆流をも遮断できる。
【００４１】
洗濯工程（洗い工程及びすすぎ工程）において、排水バルブ３３を閉じて上記の給水によって洗濯水槽３（具体的には外槽４と内槽５内）に一定量の水が溜められる。洗い工程ではモータ６によりドラム５は回転せず攪拌翼１４の正逆回転によってドラム５内の衣類が洗濯され、排水バルブ３３を開いて洗濯水槽３の水が排水管３４から排水された後、モータ６によりドラム５と攪拌翼１４が同時回転して、衣類の脱水を行う。この脱水の後、すすぎ運転を行う。すすぎ運転は、再び排水バルブ３３を閉じて、上記同様の給水によって洗濯水槽３に一定量の水を溜め、モータ６によりドラム５は回転せず攪拌翼１４が正逆回転して、この水によって衣類のすすぎを行った後、排水バルブ３３を開いて洗濯水槽３のすすぎ水が排水管３４から排水され、その後、モータ６によりドラム５と攪拌翼１４が同時回転して衣類の脱水を行う。なお、洗濯水槽３へ供給された水の水位が所定水位よりも高い場合は、オーバーフロー口３６Ａからオーバーフロー管３６を通して排水管３４へ排出される。
【００４２】
洗濯機１には、このすすぎ運転を複数回行なった後、脱水工程を経て乾燥機能（乾燥工程）を行うために、前記の乾燥風路２２が備えられている。乾燥機能（乾燥工程）において、ブロア１９が運転されヒータ２１が発熱状態となる。このため、外槽４とドラム５との間の環状空間Ｋに連通した空気吸い込み用の接続パイプ４１から環状空間Ｋの空気を吸い込み、乾燥用フィルタ２０を通過した空気は、回転翼１９Ｂを通った後、ヒータ２１で加熱され、空気吐出用の接続パイプ４２からドラム５内へ吐出され、ドラム５内の衣類から湿気を蒸発させ、この蒸発した湿気を含む高温多湿の空気は、再び環状空間Ｋから接続パイプ４１を通って送風ユニット１６へ吸い込まれる循環を行なう。
【００４３】
この乾燥機能（乾燥工程）において、図３に示すように、この高温多湿空気の除湿を行なって乾燥効果を促進するために、給水路３２から除湿用水を供給する。この除湿用水の供給制御は、給水バルブ２３の第３出口２３Ｃを間歇的に所定時間開くことにより、相対的に少量である所定量（実施例では、１回の供給量は５００ｃｃとし、これが４回供給される）の除湿水を給水路３２の出口３２Ａから環状空間Ｋへ供給する。第３出口２３Ｃは相対的に小径の出口であり、実施例では図示のように、給水路３２の出口３２Ａは、空気吸い込み用の接続パイプ４１内を通って環状空間Ｋへ臨んでおり、乾燥工程において、５００ｃｃの水が複数回供給される仕組みである。このため、洗濯水槽３から吸い出される高温多湿の空気が、給水路３２を経由して供給される少量の水と熱交換して、循環空気の除湿をすると共に温度を低下させる。給水路３２を経由して乾燥風路２２に供給される水を含めた除湿によって生じる水滴は、洗濯水槽３の底面最下部（より具体的には外槽４の底面最下部）の排水口に接続した排水管３４へ流入し、排水バルブ３３を介して排水管３４の途中に形成した排水トラップ部３９を経て外部の下水路等へ排水される。
【００４４】
この乾燥機能（乾燥工程）において、オゾン発生器１８が作動することにより、ベンチュリー管３７の流入原理によって、エアーチューブ３８を介してオゾンを含む空気（浄化用空気）が吸引され、ベンチュリー管３７内を流れる水にオゾンが混入される。このため、乾燥工程において、洗濯水槽３から吸い出される高温多湿の空気を除湿するために、給水路３２から供給される水は、オゾンによって浄化されるため、送風ユニット１６によって洗濯水槽３内へ循環する空気は浄化された空気となり、洗濯物の消臭や除菌が良好となる。
【００４５】
また、乾燥工程において除菌モードを実行するために、送風ユニット１６には、エアーチューブ４３を介してオゾン発生器１８が接続されている。このため、乾燥工程において、オゾン発生器１８が作動される除菌モードにおいて、オゾン発生器１８が発生するオゾンを含む浄化用空気は、乾燥用フィルタ２０を介して送風ユニット１６内へ吸い込まれ、洗濯水槽３へ循環される空気にオゾンを含む空気を混入することができる。この場合、オゾン及びオゾンを含む空気のいずれもが浄化用空気とされる。この浄化用空気によって、乾燥する衣類の消臭や除菌（エアウォッシュ）を行うことができる。なお、このエアウォッシュに関して、浄化用空気（エア）によって、衣類が恰もエアで洗われ、除菌・消臭されるかの如くであるから、本願の出願人は、浄化用空気を用いて行う衣類の除菌・消臭をエアウォッシュと称している。そして、送風ユニット１６、エアーチューブ４３及びオゾン発生器１８は、洗濯水槽３へ浄化用空気を供給するための浄化用空気供給手段として機能する。
【００４６】
外槽４の上面開口の出入口９は、内蓋１２で密閉され、排水管３４は排水トラップ部３９にて空気流通が遮断され、給水路２９には図示しない給水トラップにて空気流通が遮断される。このため、乾燥工程において、洗濯水槽３へ循環する空気中のオゾンが外部へ漏洩することはない。
【００４７】
乾燥工程において、モータ６によりドラム５と攪拌翼１４を、１分間に１０回転のように低速で同時回転することにより、衣類の乾燥及び除菌・消臭を促進することができる。
【００４８】
上記のように、乾燥機能（乾燥工程）において、ブロア１９が運転され、外槽４とドラム５との間の環状空間Ｋの空気を送風ユニット１６へ吸い込み、乾燥用フィルタ２０を通過した空気は、ヒータ２１で加熱され、その温風（例えば、８０℃〜９０℃の温風）がドラム５内へ吐出され、ドラム５内の衣類から湿気を蒸発させ、この蒸発した湿気を含む高温多湿の空気が再び環状空間Ｋから送風ユニット１６へ吸い込まれる循環を行なう。この乾燥工程において、衣類から蒸発した湿気が外槽４とドラム５の壁に接触したとき結露し易くするために、洗濯機１の周囲の空気を外槽４に当てて、外槽４の温度を低下させるための冷却用ファン６０を運転している。
【００４９】
本発明では、風呂水をすすぎ水として使用する場合の除菌に関して、新規にして優れた効果を奏する技術を提供するものである。この本発明の技術は、風呂水を洗濯水に使用する場合にも適用でき、同様の効果を奏するものであるが、以下、洗濯機１において、風呂水をすすぎ水として使用する場合の除菌について記載する。
【００５０】
上記のように、洗濯工程（洗い工程及びすすぎ工程）において、前記水道水管の水栓が開かれた状態であり、洗い工程では、排水バルブ３３を閉じる。そして、風呂水ポンプ２６が稼動しないときは、給水バルブ２３の第１出口２３Ａが開いて注水口ユニット２４へ供給される水は、洗剤容器２５の洗剤収容室を通り、給水路２９から洗濯水槽３へと流入する。また、風呂水ポンプ２６が稼動したときは、給水バルブ２３の第１出口２３Ａが開いて、主として呼び水水路３５を通り逆止弁３５Ａを経て風呂水ポンプ２６へ呼び水が流入すると共に、浴槽の残り湯（風呂水）が風呂水ホース２７を介して汲み上げられて風呂水ポンプ２６を経由し、給水路２８からベンチュリー管３０を通過して注水口ユニット２４への入り口２４Ｅへ流入し、洗剤容器２５の洗剤収容室を通った後、給水路２９から洗濯水槽３へと流入する。この給水によって洗濯水槽３（具体的には外槽４と内槽５内）に一定量の水が溜められる。この状態で、攪拌翼１４の回転によってドラム５内の衣類が洗濯され、排水バルブ３３を開いて洗濯水槽３の水が排水管３４から排水された後、モータ６によりドラム５と攪拌翼１４が同時回転して、衣類の脱水を行う。この脱水の後、すすぎ運転を行う。
【００５１】
すすぎ運転は、再び排水バルブ３３を閉じて、上記同様に、給水路２９から洗濯水槽３への給水によって洗濯水槽３に一定量の水を溜め、モータ６によりドラム５は回転せず攪拌翼１４が回転して、この水によって衣類のすすぎを行った後、排水バルブ３３を開いて洗濯水槽３のすすぎ水が排水管３４から排水され、その後、モータ６によりドラム５と攪拌翼１４が同時回転して衣類の脱水を行う。
【００５２】
本発明は、すすぎ運転において使用するすすぎ水に、風呂水を使用するために適する技術を提供するものである。風呂水供給路２６Ｒ中の風呂水にオゾンを混入する場合は、オゾン発生器１８を作動状態とすることによって、風呂水ポンプ２６から供給される風呂水がベンチュリー管３０を通過するとき、エアーチューブ３１からオゾン発生器１８で発生するオゾンを吸い込む状態となり、給水路２９から洗濯水槽３へ供給される風呂水にはオゾンが混入された状態となる。
【００５３】
この場合、給水路２９から洗濯水槽３へ供給される風呂水が、除菌が達成される風呂水となるようにするために、風呂水ポンプ２６の運転によって汲み上げられた風呂水が風呂水供給路２６Ｒを通して洗濯水槽３に供給される洗濯機１において、風呂水供給路２６Ｒ中の風呂水にオゾンを供給するオゾン混入部３０（実施例のベンチュリー管３０）を設け、このオゾン混入部３０から下流の風呂水供給路２６Ｒに、この下流の風呂水供給路２６Ｒ中において十分な除菌された風呂水となるように、混合手段５０を設けたものである。
【００５４】
この混合手段５０は、風呂水が一旦衝突して渦流となる障壁５０Ａ、または流れる風呂水が一旦溜まってオーバーフローするダム部５０Ｂで構成され、このいずれか一方でもよく、この障壁５０Ａ及びダム部５０Ｂのいずれか一方と他の手段との組み合わせでもよく、また、この障壁５０Ａ及びダム部５０Ｂの組み合わせでもよく、更に、この障壁５０Ａ及びダム部５０Ｂの組み合わせと他の手段との組み合わせでもよい。
【００５５】
以下、この具体的な実施形態を記載する。
先ず第１の実施形態として、混合手段５０を障壁５０Ａで形成した構成を図５乃至図８に基づき説明する。第１の実施形態では、風呂水供給路２６Ｒの内、給水路２８の一部であるところの、ベンチュリー管３０（オゾン混入部３０）から注水口ユニット２４までの給水路２８Ａを屈曲通路２８Ｋとし、この屈曲通路２８Ｋの屈曲部２８ＫＰに、流れる風呂水が一旦衝突して渦流となる障壁５０Ａを形成した構成である。
【００５６】
給水路２８Ａを屈曲通路２８Ｋとする形成方法は、給水路２８Ａは合成樹脂製であり、図６乃至図８に示すように、給水路２８Ａを複数の合成樹脂製接続管２８Ａ１で構成し、接続管２８Ａ１相互は、接着剤や高周波溶着等にて接合される。この場合、環状の障壁５０Ａを形成した接続管２８Ａ１は、図８に示すように、合成樹脂成形する際に使用される左右の入れ子ＰＡ及びＰＢの接合部によって、環状の障壁５０Ａと障壁５０Ａの中央部に貫通孔５０Ｐが形成される。障壁５０Ａは、屈曲通路２８Ｋの複数の屈曲部２８ＫＰの全てに形成してもよいが、風呂水供給路２６Ｒを流れる風呂水の流路抵抗が大きくなり、洗濯水槽３へ所定量の水量を供給するために供給時間が長くなることが懸念される。このため、除菌の性能とすすぎ水用風呂水の供給時間とを考慮して、任意の屈曲部２８ＫＰに障壁５０Ａを設けるようにすればよい。
【００５７】
ベンチュリー管３０（オゾン混入部３０）へは、エアーチューブ３１を介してオゾンを含む空気（浄化用空気）が吸引され、ベンチュリー管３０内を流れる風呂水にオゾンを包含した無数の気泡が混入される。そして、給水路２８Ａを流れる風呂水は、障壁５０に衝突してこの部分で渦流を伴う乱流となることによって、オゾンを包含した無数の気泡の破壊が生じ、それによってオゾンと風呂水との接触が向上し、オゾンにより風呂水が浄化され、洗濯水槽３へ供給される時点の風呂水は、除菌が達成された状態となる。
【００５８】
また、図５及び図６に示すように、給水路２８Ａが屈曲通路２８Ｋをなすため、流れる風呂水が各屈曲部２８ＫＰによって流れが乱される。このため、オゾンを包含した無数の気泡の破壊が生じ、それによってオゾンと風呂水との接触が向上し、オゾンにより風呂水が浄化され、洗濯水槽３へ供給される時点の風呂水が、除菌が達成された状態となるようになる。屈曲部２８ＫＰを多くするためには、給水路２８Ａを蛇行状の屈曲通路２８Ｋとすればよいが、注水口ユニット２４を含む給水ユニット１７の小型化を図り、狭い筐体２内の上方後部に送風給水ユニット１５を収容するためには、蛇行状の屈曲通路２８Ｋとすることが困難な場合がある。この場合、洗濯水槽３へ供給される時点の風呂水が、除菌が達成された状態となるようにするためには、図５及び図６に示すような少ない屈曲とし、その屈曲部２８ＫＰの任意の部分に障壁５０Ａを設ける組み合わせとすればよい。
【００５９】
なお、ベンチュリー管３０（オゾン混入部３０）から注水口ユニット２４までの給水路２８Ａが直管であって、その内部に一つまたは複数の障壁５０Ａを形成し、洗濯水槽３へ供給される時点の風呂水の除菌が達成された状態となる構成が可能であれば、それでもよい。
【００６０】
次に、第２の実施形態を説明する。第２の実施形態として、混合手段５０をダム５０Ｂで形成した構成を図９及び図１０に基づき説明する。第２の実施形態では、給水路２８Ａを流れる風呂水が注水口ユニット２４内に流入して流れる風呂水通路に、その風呂水が一旦溜まった後、オーバーフローして給水路２９へ流れるダム部５０Ｂを、注水口ユニット２４内に形成している。注水口ユニット２４への入り口２４Ｅへ流入した風呂水が、直接ダム部５０Ｂへ流入する構成でもよいが、本発明では、オゾンを包含した無数の気泡が混入された風呂水の除菌効果を高めるために、注水口ユニット２４への入り口２４Ｅへ流入した風呂水が、屈曲して流れるように屈曲通路２４Ｋを形成し、この屈曲通路２４Ｋを下方へ流れた風呂水は、図１０に示すように、その下方部に形成したダム部５０ＢにレベルＬＬまで一旦溜まり、ダム部５０Ｂの障壁５０Ｂ１をオーバーフローして、下方の給水路２９へ流れ、そこから洗濯水槽３へ流下する。
【００６１】
ダム部５０Ｂの存在によって、注水口ユニット２４へ流入した風呂水は、このダム部５０Ｂ内に一時停留する状態となるため、下方の給水路２９へ流れ出すまでの時間が長くなり、結果として、オゾン混入部３０から下流の風呂水供給路２６Ｒを流れる時間が長くなり、オゾンを包含した無数の気泡の破壊が生じ易くなり、風呂水の除菌効果を高めることとなる。
【００６２】
ダム部５０Ｂのみによって洗濯水槽３へ供給される風呂水の除菌が達成される場合は問題ないが、狭い筐体２内の上方後部に送風給水ユニット１５を収容するために、注水口ユニット２４を含む給水ユニット１７の小型化を図る場合、ダム部５０Ｂのみによって洗濯水槽３へ供給される風呂水の除菌が達成されない場合がある。その場合を考慮して、本発明では、洗濯水槽３へ供給される風呂水の除菌を達成した構成の注水口ユニット２４を含む給水ユニット１７とするために、注水口ユニット２４内に屈曲通路２４Ｋを形成している。これによって、注水口ユニット２４へ流入した風呂水は、屈曲通路２４Ｋの各屈曲部２４ＫＰによって流れが乱され、それによって、オゾンを包含した無数の気泡の破壊が生じ、オゾンと風呂水との接触が向上し、オゾンにより風呂水の浄化効果が向上する。そして、この屈曲通路２４Ｋを下方へ流れた風呂水は、その下方部に形成したダム部５０Ｂに一旦溜まり、ダム部５０Ｂの障壁５０Ｂ１をオーバーフローして下方の給水路２９へ流れ、除菌が達成された風呂水として洗濯水槽３へ流入する。
【００６３】
また上記のように、給水路２８Ａを屈曲通路２８Ｋとすると共に、注水口ユニット２４内にも屈曲通路２４Ｋを形成し、屈曲通路２８Ｋの障壁５０Ａ、及びまたは注水口ユニット２４内のダム部５０Ｂとの組み合わせによって、より一層の注水口ユニット２４を含む給水ユニット１７の小型化を図ることができるものとなる。
【００６４】
所定量の風呂水の供給が終了したとき、ダム部５０Ｂに残った水をダム部５０Ｂから排出することが望ましい。このために、ダム部５０Ｂの障壁５０Ｂ１の底部に小孔５０Ｈを形成している。これによって、すすぎ水として注水口ユニット２４へ流入する風呂水は、ダム部５０Ｂに一旦溜まり、僅かに小孔５０Ｈから流出するが、殆どの量はダム部５０Ｂに一旦溜まった後、障壁５０Ｂ１をオーバーフローして給水路２９へ流れ、除菌が達成された風呂水として洗濯水槽３へ流入される。
【００６５】
上記の場合は、すすぎ運転において使用するすすぎ水に風呂水を使用する場合、風呂水ポンプ２６から洗濯水槽３へ供給される風呂水が、除菌された風呂水となるようにする技術である。本発明の技術は、更に、除菌された風呂水を洗濯水として使用する場合にも適用可能である。
【００６６】
即ち、前記洗い工程において、風呂水を洗濯水として使用する際、風呂水を除菌せずにそのまま給水路２９から洗濯水槽３へ供給する方法と、除菌した状態の風呂水として給水路２９から洗濯水槽３へ供給する方法がある。前者の場合、オゾン発生器１８は作動していないので、風呂水ポンプ２６から供給される風呂水がベンチュリー管３０を通過するとき、エアーチューブ３１からは外気を吸い込む状態である。一方、後者の除菌した風呂水を給水路２９から洗濯水槽３へ供給する場合は、オゾン発生器１８は作動している状態であるため、風呂水ポンプ２６から供給される風呂水がベンチュリー管３０を通過するとき、エアーチューブ３１からはオゾン発生器１８で発生するオゾンを吸い込む状態となり、給水路２９から洗濯水槽３へ供給される風呂水にはオゾンが混入された状態となる。
【００６７】
このように、給水路２９から洗濯水槽３へ供給される洗濯水としての風呂水にオゾンを混入する場合、上記のように、風呂水供給路２６Ｒ中の風呂水にオゾンを供給するオゾン混入部３０（実施例のベンチュリー管３０）を設け、このオゾン混入部３０から下流の風呂水供給路２６Ｒに、この下流の風呂水供給路２６Ｒ中において十分な除菌された風呂水となるように、除菌が達成される風呂水となるための混合手段５０を設ける。
【００６８】
この混合手段５０は、上記同様に、風呂水が一旦衝突して渦流となる障壁５０Ａ、または流れる風呂水が一旦溜まってオーバーフローするダム部５０Ｂで構成され、このいずれか一方でもよく、この障壁５０Ａとダム部５０Ｂとの組み合わせでもよく、また、障壁５０Ａと屈曲通路２８Ｋとの組み合わせ、またはダム部５０Ｂと屈曲通路２４Ｋとの組み合わせでもよく、更に、この障壁５０Ａ及びダム部５０Ｂの組み合わせと、屈曲通路２８Ｋ及び屈曲通路２４Ｋとの組み合わせでもよい。
【産業上の利用可能性】
【００６９】
本発明に係る洗濯機は、上記実施例に示した構成に限定されず、上面開口の縦型回転ドラム式であるもののいずれにも適用できるものである。また、前面扉の斜めドラム式洗濯機に適用することも可能である。
【符号の説明】
【００７０】
１        洗濯機
２        筐体
３        洗濯水槽（乾燥槽）
４        外槽
５          内槽（ドラム）
５Ａ        通水孔
６          モータ
８          内槽（ドラム）の上面開口
１０        外蓋
１２       内蓋
１４        攪拌翼
１５      送風給水ユニット
１６      送風ユニット
１７      給水ユニット
１８      オゾン発生装置（オゾン発生器）
１９      ブロア
２０      乾燥用フィルタ
２１      ヒータ
２２      乾燥風路
２３      給水バルブ
２４      注水ユニット
２４Ｋ    屈曲通路
２４ＫＰ  屈曲部
２６      風呂水ポンプ
２６Ｒ    風呂水供給路
２７      風呂水ホース
２８      給水路
２８Ａ    給水路
２８Ｋ    屈曲通路
２８ＫＰ  屈曲部
２９      給水路
３０      オゾン混入部（ベンチュリー管）
３１      エアーチューブ
３２      除湿用水の水路
４１      空気吸い込み口
４２      空気吐出口
５０      混合手段
５０Ａ    障壁
５０Ｂ    ダム部
５０Ｐ    貫通孔
Ｋ       環状空間
【図１】
0005427517.tif 000002
【図２】
0005427517.tif 000003
【図３】
0005427517.tif 000004
【図４】
0005427517.tif 000005
【図５】
0005427517.tif 000006
【図６】
0005427517.tif 000007
【図７】
0005427517.tif 000008
【図８】
0005427517.tif 000009
【図９】
0005427517.tif 000010
【図１０】
0005427517.tif 000011